(57)【要約】【課題】車両に備えられる燃費表示システムにおいて、瞬時燃費の表示を更新するタイミングを運転者が適切に視認することができるタイミングに設定することができる車両の燃費表示システムを提供する。【解決手段】自動二輪車１２の燃費表示システム１０では、ＥＣＵ５０によって、移動距離と燃費消費量とから瞬時燃費が算出され、該算出された瞬時燃費はメータユニット６２に設けられた燃費表示計１１にて表示される。このような燃費表示システム１０では、切換スイッチ９４により、燃費表示計１１での瞬時燃費の表示の更新タイミングをオートモード又はマニュアルモードに切換可能に構成され、その更新タイミングを変化させるように構成される。【選択図】図４
2008128715.tif 000002
【特許請求の範囲】
【請求項１】
車両の移動距離を算出する距離情報算出部と、
前記車両の燃料消費量を算出する燃料消費量算出部と、
前記距離情報算出部及び前記燃料消費量算出部からの算出結果に基づいて、前記車両の瞬時燃費を算出する瞬時燃費算出部と、
前記瞬時燃費算出部で算出された瞬時燃費を表示する表示部と、
前記距離情報算出部、前記燃料消費量算出部及び前記瞬時燃費算出部からの算出結果に基づいて、前記表示部に対する燃費表示処理を行う制御部と、
を備える車両の燃費表示システムであって、
前記制御部は、所定の条件に応じて前記表示部における瞬時燃費の表示の更新タイミングを変化させることを特徴とする車両の燃費表示システム。
【請求項２】
請求項１記載の車両の燃費表示システムにおいて、
車両の速度を検出する車速検出部を備え、
前記制御部は、前記車速検出部により検出される車速に応じて前記表示部における瞬時燃費の更新タイミングを変化させることを特徴とする車両の燃費表示システム。
【請求項３】
請求項２記載の車両の燃費表示システムにおいて、
前記制御部は、前記車速が高くなるほど、瞬時燃費の更新タイミングを長く設定することを特徴とする車両の燃費表示システム。
【請求項４】
請求項２又は３記載の車両の燃費表示システムにおいて、
前記制御部は、前記車速が所定の速度以下の状態では、瞬時燃費を表示させないことを特徴とする車両の燃費表示システム。
【請求項５】
請求項１記載の車両の燃費表示システムにおいて、
スロットル開度を検出するスロットル開度検出手段を備え、
前記制御部は、前記スロットル開度検出手段により検出されるスロットル開度の変化量に応じて、前記表示部における瞬時燃費の更新タイミングを変化させることを特徴とする車両の燃費表示システム。
【請求項６】
請求項５記載の車両の燃費表示システムにおいて、
前記制御部は、前記スロットル開度の変化量が大きくなるほど、瞬時燃費の更新タイミングを短く設定することを特徴とする車両の燃費表示システム。
【請求項７】
請求項５記載の車両の燃費表示システムにおいて、
車両の速度を検出する車速検出部を備え、
前記制御部は、前記スロットル開度の変化量が所定の変化量未満の場合には、前記車速検出部により検出される車速に応じて瞬時燃費の更新タイミングを変化させることを特徴とする車両の燃費表示システム。
【請求項８】
請求項１記載の車両の燃費表示システムにおいて、
前記瞬時燃費の表示の更新タイミングは、所定の条件に応じて自動的に設定されるオートモードと、操作者により任意に設定されるマニュアルモードとにより変化され、
前記マニュアルモードは、第１のタイミングと、該第１のタイミングよりも更新タイミングが短い第２のタイミングとを有し、
前記オートモードでは、前記第１のタイミングと前記第２のタイミングの間の更新タイミングに設定されることを特徴とする車両の燃費表示システム。
【発明の詳細な説明】
【技術分野】
【０００１】
本発明は、車両の燃費を算出し、算出された燃費を表示部に表示する車両の燃費表示システムに関する。
【背景技術】
【０００２】
一般に、自動車や自動二輪車等の車両では、運転者から視認性のよい位置に車両の速度を表示する速度メータ等を備えるメータユニット（表示装置）が設けられている。通常、このようなメータユニットには、速度メータに加えて、総走行距離を表示するオドメータや、走行距離を表示すると共に運転者が任意にリセットできるトリップメータ等が設けられる。
【０００３】
近年、省エネルギや環境保全等への関心の高まりに伴い、この種のメータユニットに車両の燃費を表示する燃費表示計を追加することが提案されている。
【０００４】
特許文献１には、自動車の平均燃費及び瞬時燃費を表示できるメータユニットを備える燃費表示装置が記載されている。この場合、液晶ディスプレイを用い、オドメータ用の表示部と、平均燃費や瞬時燃費を表示させる燃費表示計やトリップメータ等を切換表示させる表示部とを並設している。
【０００５】
【特許文献１】特開平１１−２０５０８号公報
【発明の開示】
【発明が解決しようとする課題】
【０００６】
ところで、前記瞬時燃費とは、所定時間内、例えば、過去数秒間〜数十秒間における燃費を示すものであり、通常、車両の走行状況等に応じて時々刻々と変化するものである。このような瞬時燃費は、経済走行等の観点から、運転者がその走行状況等に応じて適切なタイミングで視認し、把握できることが望ましい。
【０００７】
しかしながら、上記特許文献１に記載の燃費表示装置では、燃費表示計における瞬時燃費の表示を更新するタイミングについては全く考慮がなされていない。そこで、例えば、１秒毎に瞬時燃費の表示を更新する一定の更新タイミングであるものとして考えた場合、瞬時燃費は車速やスロットル開度等に応じて大きく変動することを鑑みると、該一定の更新タイミングでは運転者にとって瞬時燃費を適切なタイミングで確認することが難しいという課題がある。
【０００８】
本発明は上記課題を考慮してなされたものであり、車両に備えられる燃費表示システムにおいて、表示部での瞬時燃費の表示を更新するタイミングを、運転者が適切に視認可能なタイミングに設定することができる車両の燃費表示システムを提供することを目的とする。
【課題を解決するための手段】
【０００９】
本発明の請求項１に記載の発明に係る車両の燃費表示システムは、車両の移動距離を算出する距離情報算出部と、前記車両の燃料消費量を算出する燃料消費量算出部と、前記距離情報算出部及び前記燃料消費量算出部からの算出結果に基づいて、前記車両の瞬時燃費を算出する瞬時燃費算出部と、前記瞬時燃費算出部で算出された瞬時燃費を表示する表示部と、前記距離情報算出部、前記燃料消費量算出部及び前記瞬時燃費算出部からの算出結果に基づいて、前記表示部に対する燃費表示処理を行う制御部とを備える車両の燃費表示システムであって、前記制御部は、所定の条件に応じて前記表示部における瞬時燃費の表示の更新タイミングを変化させることを特徴とする。
【００１０】
請求項２に記載の発明は、請求項１記載の車両の燃費表示システムにおいて、車両の速度を検出する車速検出部を備え、前記制御部は、前記車速検出部により検出される車速に応じて前記表示部における瞬時燃費の更新タイミングを変化させることを特徴とする。
【００１１】
請求項３に記載の発明は、請求項２記載の車両の燃費表示システムにおいて、前記制御部は、前記車速が高くなるほど、瞬時燃費の更新タイミングを長く設定することを特徴とする。
【００１２】
請求項４に記載の発明は、請求項２又は３記載の車両の燃費表示システムにおいて、前記制御部は、前記車速が所定の速度以下の状態では、瞬時燃費を表示させないことを特徴とする。
【００１３】
請求項５に記載の発明は、請求項１記載の車両の燃費表示システムにおいて、スロットル開度を検出するスロットル開度検出手段を備え、前記制御部は、前記スロットル開度検出手段により検出されるスロットル開度の変化量に応じて、前記表示部における瞬時燃費の更新タイミングを変化させることを特徴とする。
【００１４】
請求項６に記載の発明は、請求項５記載の車両の燃費表示システムにおいて、前記制御部は、前記スロットル開度の変化量が大きくなるほど、瞬時燃費の更新タイミングを短く設定することを特徴とする。
【００１５】
請求項７に記載の発明は、請求項５記載の車両の燃費表示システムにおいて、車両の速度を検出する車速検出部を備え、前記制御部は、前記スロットル開度の変化量が所定の変化量未満の場合には、前記車速検出部により検出される車速に応じて瞬時燃費の更新タイミングを変化させることを特徴とする。
【００１６】
請求項８に記載の発明は、請求項１記載の車両の燃費表示システムにおいて、前記瞬時燃費の表示の更新タイミングは、所定の条件に応じて自動的に設定されるオートモードと、操作者により任意に設定されるマニュアルモードとにより変化され、前記マニュアルモードは、第１のタイミングと、該第１のタイミングよりも更新タイミングが短い第２のタイミングとを有し、前記オートモードでは、前記第１のタイミングと前記第２のタイミングの間の更新タイミングに設定されることを特徴とする。
【発明の効果】
【００１７】
請求項１に記載の発明によれば、燃費表示システムにおける瞬時燃費の表示の更新タイミングを可変としたことにより、運転者の嗜好や走行状況に応じて瞬時燃費の表示のタイミングを変化させることができ、運転者が適切な燃費情報を容易に把握することが可能となる。
【００１８】
請求項２に記載の発明によれば、車速に応じて瞬時燃費の表示の更新タイミングを変化させることにより、車両の走行状態に応じて運転者にとって瞬時燃費を視認し易い環境を提供することが可能となる。
【００１９】
請求項３に記載の発明によれば、車速が高くなるほど瞬時燃費の更新タイミングを長く設定することにより、高速走行時等であっても、運転者が瞬時燃費の確認に必要な視線移動のタイミングを適切に設定することができる。このため、運転者は走行状態に拘らず容易に瞬時燃費を確認することが可能となる。
【００２０】
請求項４に記載の発明によれば、車速が所定の速度以下、例えば、極めて低速である場合には、車速の検出精度が低下する可能性が高く、正確な燃費の算出が困難となるため瞬時燃費を表示させないことが好ましい。そうすると、運転者の瞬時燃費の誤認を防止することができる。
【００２１】
請求項５に記載の発明によれば、スロットル開度等の変化量に応じて瞬時燃費の表示の更新タイミングを変化させることにより、車両の燃費に及ぼす影響が大きい要因であるスロットル開度の変化量の状態に応じて、運転者は適切なタイミングで瞬時燃費を視認することができる。従って、運転者に対して経済運転を促進促すことが可能となる。
【００２２】
請求項６に記載の発明によれば、スロットル開度の変化量が大きくなるほど瞬時燃費の更新タイミングを短く設定することにより、スロットル開度の変化量が大きく燃費の低下が懸念される状態において、運転者は適切なタイミングで瞬時燃費を視認することができる。従って、運転者に対して一層の経済運転を促すことが可能となる。
【００２３】
請求項７に記載の発明によれば、スロットル開度の変化量が所定の変化量未満の場合に、車速に応じて瞬時燃費の更新タイミングを変化させることにより、例えば、停止や一定走行等、車両の状態に応じた更新タイミングで瞬時燃費を表示させることができ、運転者は一層正確な瞬時燃費を把握することが可能となる。
【００２４】
請求項８に記載の発明によれば、最も短い（速い）更新タイミングと、最も長い（遅い）更新タイミングをマニュアルモードで採用することにより、運転者に対して現在の更新モードがマニュアルモードであることを容易に認識させることができる。
【発明を実施するための最良の形態】
【００２５】
以下、本発明に係る車両の燃費表示システムについて好適な実施形態を挙げ、添付の図面を参照して詳細に説明する。
【００２６】
図１は、本発明の一実施形態に係る車両の燃費表示システム１０（以下、燃費表示システム１０ともいう）が組み込まれる車両としての自動二輪車１２の概略側面図である。本実施形態では、オンロード型の自動二輪車１２を例示して本発明を説明するが、本発明はこれに限られず他の種別の車両、例えば、スクータ型やオフロード型の自動二輪車や、自動車等にも適用可能である。さらに、本発明の燃費表示システムにおいて、燃費とはエネルギ消費率を示す広義の意味であり、すなわち、上記のような内燃機関車両に限らず、搭載したエネルギを消費しながら走行する車両、例えば、水素を消費する燃料電池車両や電力を消費する電気自動車等にも好適に用いることができる。
【００２７】
なお、自動二輪車１２において、車体の左右に１つずつ対称的に設けられる機構乃至構成要素については、左のものの参照符号に「Ｌ」を付し、右のものの参照符号に「Ｒ」を付すものとする。また、理解を容易にするために、各図面において、着座した運転者から見た方向に従って、車体の左を示す矢印に「Ｌ」、車体の右を示す矢印に「Ｒ」を付すと共に、車体の前方を示す矢印に「Ｆｒ」、車体の後方を示す矢印に「Ｒｒ」を付して説明し、以下同様とする。
【００２８】
図１に示すように、自動二輪車１２は、車体を構成するクレードル型の車体フレーム１３と、操舵輪である前輪１４と、駆動輪である後輪１６と、前輪１４を操舵するハンドル１８と、乗員が着座するシート２０とを備える。該シート２０は、車体フレーム１３から車体後方に向けて延設されたシートレール２２Ｌ、２２Ｒに対し、複数の取付支持部２４を介して取り付けられている。
【００２９】
車体前方部において、ハンドル１８の下方の車体フレーム１３には、ハンドル１８を操舵可能に支承するヘッドパイプ２６が軸支され、該ヘッドパイプ２６の下端側には、フロントフォーク２８Ｌ、２８Ｒが軸支されている。該フロントフォーク２８Ｌ、２８Ｒは、前輪１４を回転自在に軸支する。また、フロントフォーク２８Ｌ、２８Ｒには、前輪１４を上方から覆うフロントフェンダ３０が取り付けられている。さらに、一方のフロントフォーク２８Ｌにおける前輪１４との軸受部分近傍には、自動二輪車１２の車速を検出する車速センサ（車速検出部）３１が配設されている。該車速センサ３１は、図示しない電気配線を介して後述するＥＣＵ５０へと接続されている。
【００３０】
一方、車体後方部において、シート２０の下方には、車体フレーム１３の後部にリアクッション３２で懸架されたスイングアーム３４が配設され、該スイングアーム３４により後輪１６が回転自在に軸支されている。
【００３１】
前記ハンドル１８とシート２０との間における車体フレーム１３の上部には燃料タンク３６が取り付けられている。該燃料タンク３６の下方における車体フレーム１３のクレードルスペース内には、例えば４サイクル型からなるエンジン３８が配置され、該エンジン３８の排気口に接続された排気管４０を介した車体後方部には、消音器（マフラ）４２が配設されている。さらに、燃料タンク３６の下部であってエンジン３８の上部には、図示しないエアクリーナ等を収納するエアチャンバ４４が設けられている。
【００３２】
前記燃料タンク３６とシート２０と間の下部において、カバー４６で覆われた空間には、バッテリ４８と、ＥＣＵ（エンジン制御ＥＣＵ）５０とが並設されている。ＥＣＵ５０は、エンジン３８のＦＩ（フューエルインジェクション）制御、各種電装部品の制御、燃費算出及び表示制御等を行う制御部である。
【００３３】
前記カバー４６の後方において、シートレール２２Ｌ、２２Ｒには、その後部から斜め上方に延びたＵ字状のフレーム５２が連結されている。さらに、シート２０の下部には、リアフェンダ５４が設けられ、該リアフェンダ５４にはウインカ５６Ｌ、５６Ｒが配置されている。前記リアフェンダ５４の上部には、テールライト５８が取り付けられ、前記リアフェンダ５４の前方には、格子状のガードカバー６０が取り付けられている。
【００３４】
前記ヘッドパイプ２６の上方においてハンドル１８の前方には、運転者が視認しやすい位置に、ブラケット６１を介してメータユニット（表示装置）６２が配設され、該メータユニット６２の前方から側方にかけては、アッパカウル６４の上方に連結されたウインドスクリーン６６により覆われている。前記アッパカウル６４の略中央部には、ヘッドライト６８が配置されている。
【００３５】
基本的には以上のように構成される自動二輪車１２に組み込まれる本実施形態に係る燃費表示システム１０において、算出された燃費を表示する燃費表示計（表示部）１１は、前記メータユニット６２に配置される。そこで、次に、メータユニット６２について、図２及び図３を参照して説明する。
【００３６】
図２に示すように、メータユニット６２は、前記ブラケット６１に固定されたメータパネル７０により支持されている。本実施形態の場合、メータパネル７０の略中央部にはスピードメータ７２が設けられている。
【００３７】
前記スピードメータ７２において、指針７４の回転軸心の上方（前方）には、自動二輪車１２の総走行距離を表示するオドメータ７６が設けられる。前記回転軸心の下方（後方）には、自動二輪車１２の走行距離を表示すると共に、リセットボタン７８により運転者が任意にリセットできるトリップメータ８０が設けられる。
【００３８】
前記スピードメータ７２の両側部において、右側には燃費表示システム１０を構成する燃費表示計１１及び燃料ゲージ８２を組み込むフューエルメータ８４が設けられている。前記スピードメータ７２の左側にはアッパビームインジゲータ８６及びニュートラルインジゲータ８８が設けられている。さらに、前記スピードメータ７２の下方（後方）には、ハンドル１８の軸部を挟んでターンシグナルインジゲータ９０Ｌ、９０Ｒが設けられている。
【００３９】
図３は、前記フューエルメータ８４周辺の拡大図である。該フューエルメータ８４は、例えば、液晶ディスプレイ８５により構成される。
【００４０】
このようなフューエルメータ８４において、燃料ゲージ８２は、燃料残量を表示するものであり、残量不足を示すリザーブ（ＲＥＳ）から満量（Ｆ）までの間に、複数のランプが並設され、これにより燃料残量を運転者が容易に把握可能に構成される。さらに、燃料ゲージ８２に隣接して、運転者に給油を促す給油マーク９２が設けられている。
【００４１】
前記燃費表示計１１は、平均燃費（ＡＶＧ）及び瞬時燃費（ＩＮＳＴ）の２つの燃費モードを表示可能であり、これらはフューエルメータ８４に並設された切換スイッチ９４により切換表示することができる。例えば、切換スイッチ９４を短時間（例えば、１秒以内）押すことにより、平均燃費と瞬時燃費とが切換表示され、どちらか一方を表示中に切換スイッチ９４を長時間（例えば、１秒以上）押すことにより、当該表示中の平均燃費又は瞬時燃費がリセットされる。なお、燃費表示計１１では、燃費モードが平均燃費に設定されている際には、平均燃費表示インジゲータ（ＡＶ）９６が点灯し、前記燃費モードが瞬時燃費に設定されている際には、瞬時燃費表示インジゲータ（ＩＮＳＴ）９８が点灯する。このため、運転者はどちらの燃費モードにあるかを容易に把握することができる。
【００４２】
さらに、切換スイッチ９４は、左右に所定角度回転可能に構成され、これにより、「Ａ」、「Ｍｆ」又は「Ｍｓ」の位置に目盛り１００を設定することができる。前記「Ａ」とは、瞬時燃費の表示の更新タイミングにおける２つの表示モード（更新モード）であるオートモード及びマニュアルモードのうちのオートモードを示している。前記「Ｍｆ」及び「Ｍｓ」とは、前記マニュアルモードにおいて、その更新タイミングの違いによる２つのモードを示している。
【００４３】
前記オートモードとは、瞬時燃費の表示の更新タイミングを、自動二輪車１２の車速やスロットル開度の変化量等を考慮して自動的に変化させる（可変とする）表示モードである。前記マニュアルモードとは、瞬時燃費の表示の更新タイミングを、運転者が任意に設定したタイミングとする表示モードであり、この場合、前記「Ｍｆ（更新が速い）」、「Ｍｓ（更新が遅い）」の２つのタイミングに任意に設定可能である。なお、このようなオードモード及びマニュアルモードについても、前記燃費モードを示す平均燃費表示インジゲータ９６等のように、インジゲータランプを利用して液晶ディスプレイ８５内に表示させ、一層容易に視認可能なものとして構成してもよい。
【００４４】
なお、前記平均燃費とは、例えば、一度リセットされた時点から現時点までの走行距離全域にわたる平均燃費（ｋｍ／ｌ）であり、例えば、前記トリップメータ８０に設定された走行距離（トリップ距離）全域にわたる平均燃費（ｋｍ／ｌ）とすることもできる。一方、前記瞬時燃費とは、所定時間内、例えば、過去数秒間における燃費（ｋｍ／ｌ）を示すものであり、すなわち、所定時間内における走行距離に応じた燃料消費量から算出される。
【００４５】
従って、平均燃費は、算出開始直後を除けば、その変化は比較的緩やかなものである一方、瞬時燃費は、自動二輪車１２の走行状況等に応じて時々刻々と変化するものである。つまり、このような瞬時燃費は、運転者がその走行状況等に応じて適切なタイミングで視認して把握できれば、経済運転等に有効に利用することが可能となる。
【００４６】
本実施形態の場合、以上のように構成される燃費表示システム１０における燃費表示計１１での瞬時燃費の表示に係る制御方法は、その表示の更新タイミングの設定方法によって２つの制御方法が挙げられる。
【００４７】
そこで、先ず、燃費表示計１１での瞬時燃費の表示に係る第１の制御方法について、図４に示すフローチャートを参照しながら説明する。この第１の制御方法は、前記オートモードにおいて、自動二輪車１２の車速に応じて燃費表示計１１での表示の更新タイミングを設定する制御方法である。
【００４８】
すなわち、自動二輪車１２の走行中、切換スイッチ９４により燃費表示計１１の燃費モードが瞬時燃費とされた状態で本第１の制御方法が実行されると、先ず、図４におけるステップＳ１において、自動二輪車１２の瞬時燃費がＥＣＵ５０により算出される。
【００４９】
この燃費算出方法について図５を参照して説明する。図５は、自動二輪車１２での燃費（瞬時燃費、平均燃費）の算出システムを示すブロック構成図である。
【００５０】
図５に示すように、ＥＣＵ５０には、車速センサ３１からの車速信号と、前記表示モード（オートモード、マニュアルモード）の設定信号とが入力される。また、ＥＣＵ５０では、インジェクション開弁情報（ＩＮＪ）を把握制御しており、該ＥＣＵ５０にてインジェクション開弁時間が算出される。
【００５１】
従って、ＥＣＵ５０では、所定時間における前記車速センサ３１からの車速信号に基づき、所定時間における走行距離（ｋｍ）を算出し、所定時間における前記インジェクション開弁情報から当該所定時間での燃料消費量（ｌ）を算出し、これにより、瞬時燃費（ｋｍ／ｌ）を算出している。なお、ＥＣＵ５０では、平均燃費についても前記瞬時燃費の場合と略同様に算出することができる。
【００５２】
すなわち、この場合、ＥＣＵ５０は、燃費表示システム１０において、車両の移動距離を算出する距離情報算出部と、燃料消費量を算出する燃料消費量算出部と、前記距離情報算出部及び前記燃料消費量算出部からの算出結果に基づいて瞬時燃費及び平均燃費を算出する瞬時燃費算出部及び平均燃費算出部としての各機能を有している。さらに、ＥＣＵ５０は、前記距離情報算出部、前記燃料消費量算出部及び前記瞬時燃費算出部からの算出結果に基づいて、表示部である燃費表示計１１に対する燃費表示処理を行う制御部としての機能も有する。すなわち、前記距離情報算出部等からの算出結果に基づき、燃費表示計１１の更新タイミングを変化させる更新タイミング変更部と、該更新タイミング変更部からの信号に基づき燃費表示処理を行う燃費表示処理部としての機能を有している。
【００５３】
このようなステップＳ１では、前記瞬時燃費は所定時間毎、例えば、１秒毎に算出され、以降のステップＳ２〜Ｓ１５による制御に基づいて適宜燃費表示計１１にて表示される。
【００５４】
次いで、ステップＳ２において、ＥＣＵ５０は、切換スイッチ９４により設定された燃費表示計１１の表示モードがオートモードであるか、マニュアルモードであるかを判断する。この場合、切換スイッチ９４が前記「Ｍｆ」又は「Ｍｓ」とされ、つまり、表示モードがマニュアルモードに設定されている場合には、次にステップＳ３が実行される。
【００５５】
ステップＳ３では、ＥＣＵ５０により切換スイッチ９４が「Ｍｆ」側に設定されているか、「Ｍｓ」側に設定されているかが判断される。
【００５６】
前記切換スイッチ９４が「Ｍｆ」側に設定されている場合には、続いてステップＳ４が実行され、燃費表示計１１での瞬時燃費の更新を、例えば、１秒毎に行うものとして、次にステップＳ１５が実行される。一方、切換スイッチ９４が「Ｍｓ」側に設定されている場合には、続いてステップＳ５が実行され、燃費表示計１１での瞬時燃費の更新を、例えば、１５秒毎に行うものとして、次にステップＳ１５が実行される。
【００５７】
そして、ステップＳ１５では、前記ステップＳ４又はステップＳ５で設定された更新タイミングに基づいて、燃費表示計１１の瞬時燃費の表示を更新する。
【００５８】
一方、前記ステップＳ２において、切換スイッチ９４が前記「Ａ」とされ、つまり、表示モードがオートモードに設定されている場合には、次にステップＳ６が実行される。
【００５９】
ステップＳ６では、ＥＣＵ５０により自動二輪車１２の車速が所定の速度未満であるか、所定の速度以上であるかが判断される。
【００６０】
具体的には、ステップＳ６において、自動二輪車１２の車速が所定の速度未満、例えば、５ｋｍ／ｈ未満である場合には、続けてステップＳ７が実行され、燃費表示計１１での瞬時燃費の表示を行わないものとして、ステップＳ１へと戻ることになる。このように表示をＯＦＦとするのは、自動二輪車１２の車速が、例えば、５ｋｍ／ｈ未満のように極めて低速である場合には、電磁ピックアップ型等で構成される前記車速センサ３１による車速の正確な検出が困難であるからである。つまり、自動二輪車１２が極めて低速で走行している場合には、車速の検出精度が低下することにより、正確な燃費の算出が困難となるため、運転者の誤認を防止する観点から燃費表示計１１に瞬時燃費を表示させないことが好ましい。
【００６１】
なお、該ステップＳ７は必ずしも設ける必要はなく、その場合には、例えば、ステップＳ６での自動二輪車１２の車速が５ｋｍ／ｈ未満の場合、そのままステップＳ１へと戻るようにしてもよく、ステップＳ６自体を省略するようにしてもよい。
【００６２】
一方、ステップＳ６において、自動二輪車１２の車速が所定の速度以上、例えば、５ｋｍ／ｈ以上である場合には、続けてステップＳ８が実行される。
【００６３】
ステップＳ８では、前記ステップＳ６と略同様に、ＥＣＵ５０により自動二輪車１２の車速が所定の速度未満であるか、所定の速度以上であるかが判断される。
【００６４】
先ず、ステップＳ８において、自動二輪車１２の車速が所定の速度未満、例えば、２０ｋｍ／ｈ未満である場合には、続けてステップＳ９が実行され、燃費表示計１１での瞬時燃費の更新を、例えば、３秒毎に行うものとして、次にステップＳ１５が実行される。そして、ステップＳ１５では、前記ステップＳ９で設定された更新タイミングに基づいて、燃費表示計１１の瞬時燃費の表示を更新する。一方、ステップＳ８において、自動二輪車１２の車速が所定の速度以上、例えば、２０ｋｍ／ｈ以上である場合には、続けてステップＳ１０が実行され、以下同様にして各ステップが実行される。
【００６５】
すなわち、ステップＳ１０において、自動二輪車１２の車速が所定の速度未満、例えば、５０ｋｍ／ｈ未満である場合には、続けてステップＳ１１が実行され、燃費表示計１１での瞬時燃費の更新を、例えば、５秒毎に行うものとして、次にステップＳ１５が実行される。一方、ステップＳ１０において、自動二輪車１２の車速が所定の速度以上、例えば、５０ｋｍ／ｈ以上である場合には、続けてステップＳ１２が実行される。
【００６６】
ステップＳ１２において、自動二輪車１２の車速が所定の速度未満、例えば、８０ｋｍ／ｈ未満である場合には、続けてステップＳ１３が実行され、燃費表示計１１での瞬時燃費の更新を、例えば、１０秒毎に行うものとして、次にステップＳ１５が実行される。一方、ステップＳ１２において、自動二輪車１２の車速が所定の速度以上、例えば、８０ｋｍ／ｈ以上である場合には、続けてステップＳ１４が実行される。このステップＳ１４では、燃費表示計１１での瞬時燃費の更新を、例えば、２０秒毎に行うものとして、次にステップＳ１５が実行される。
【００６７】
以上のように、本実施形態の燃費表示システム１０における燃費表示計１１での瞬時燃費の表示に係る第１の制御方法では、各ステップにより設定された燃費表示計１１の更新タイミングに基づき、ステップＳ１５において燃費表示計１１での瞬時燃費の表示が更新された後、ステップＳ１へと戻る。なお、ステップＳ１における瞬時燃費の算出は、ステップＳ４、Ｓ５、Ｓ９、Ｓ１１、Ｓ１３、Ｓ１４において更新タイミングが設定された直後に行うようにしてもよい。
【００６８】
この場合、前記オートモードでは、ステップＳ６〜ステップＳ１４において、自動二輪車１２の車速に応じて燃費表示計１１での瞬時燃費の表示の更新タイミングを変化させており、より具体的には、車速が高くなるほど更新タイミングを長く設定する。これにより、自動二輪車１２の走行状態に応じ、運転者にとって瞬時燃費を視認し易い環境が提供されることになる。そして、車速が高くなるほど更新タイミングを長く設定することにより、高速走行時等であっても運転者が瞬時燃費の確認に必要な視線移動のタイミングを適切に設定することができる。このため、運転者は走行状態に拘らず容易に瞬時燃費を確認することができ、経済走行等に有効に利用することができる。また、高速道路等で高速走行している際には略一定速度で走行することが多く、瞬時燃費の変化も少ないことからも更新タイミングを長くすることが好ましい。
【００６９】
さらに、この場合、瞬時燃費の更新タイミングは、車速が、２０ｋｍ／ｌから５０ｋｍ／ｌへと２．５倍になると３秒から５秒へと約１．７倍となり、５０ｋｍ／ｌから８０ｋｍ／ｌへと１．６倍になると５秒から１０秒へと２倍となるように設定されており、すなわち、車速が約２倍となると更新タイミングもそれに応じて約２倍となるように設定されている。これにより、対称的で広範囲の更新タイミングの変更が可能となり、運転者にとって把握し易く且つ扱い易いものとなっている。
【００７０】
また、前記マニュアルモードでは、運転者が任意に設定したタイミングで燃費表示計１１での瞬時燃費の更新タイミングを設定することができる。この場合、切換スイッチ９４でのマニュアルモードの設定は、前記「Ｍｆ」、「Ｍｓ」からなる２段階だけでなく、３段階以上、又はアナログ連続量で設定するようにしてもよい。さらに、オートモードにおける前記ステップＳ７のように、自動二輪車１２が所定の最低速度（例えば、５ｋｍ／ｈ）未満である場合には、表示をＯＦＦとするように構成してもよい。
【００７１】
さらにまた、このような第１の制御方法において、前記マニュアルモードに対応するステップＳ５での燃費表示計１１での瞬時燃費の更新を、例えば、２５秒毎に行うものとしてもよい。この場合、瞬時燃費の更新タイミングは、マニュアルモードでは１秒毎又は２５秒毎として設定され、オートモードでは３〜２０秒毎として設定される。そうすると、最も短い（速い）更新タイミングと、最も長い（遅い）更新タイミングとがマニュアルモードとなり、その間の更新タイミングがオートモードとなるため、運転者に対して現在の表示モード（更新モード）がマニュアルモードであることを容易に認識させることができる。
【００７２】
次に、燃費表示システム１０における燃費表示計１１での瞬時燃費の表示に係る第２の制御方法について、図６に示すフローチャートを参照しながら説明する。この第２の制御方法は、前記オートモードにおいて、自動二輪車１２のスロットル（ＴＨ）開度の変化量（変化率）に応じて燃費表示計１１の更新タイミングを設定する制御方法である。前記スロットル開度の変化量とは、狭義には空気又は燃料・空気の混合気等のエンジン３８内部への流入量を調整するスロットルバルブにおいて、その開度の所定時間における変化量（％／ｓ）を示している。なお、広義には、アクセルの変化量やＦＩの変化量等を含み、これらに基づく処理を行ってもよい。また、負圧センサによる検出量（変化量）に基づいて、燃費表示計１１の更新タイミングを設定しても良い。
【００７３】
この場合、図５に示すように、ＥＣＵ５０では、スロットル開度検出手段１０１（図１参照）により検出されるスロットル開度（Ｔｈ）を把握制御しており、該ＥＣＵ５０にてスロットル開度の変化量が算出される。
【００７４】
すなわち、自動二輪車１２の走行中、切換スイッチ９４により燃費表示計１１の燃費モードが瞬時燃費とされた状態で本第２の制御方法が実行されると、先ず、図６におけるステップＳ２１において、自動二輪車１２の瞬時燃費がＥＣＵ５０により算出される。なお、この燃費算出方法は、上記第１の制御方法におけるステップＳ１の場合と略同様であるため、詳細な説明を省略する。
【００７５】
次いで、ステップＳ２２において、ＥＣＵ５０は、切換スイッチ９４により設定された燃費表示計１１の表示モードがオートモードであるか、マニュアルモードであるかを判断する。この場合、切換スイッチ９４がマニュアルモードに設定されている場合には、次にステップＳ２３が実行される。なお、このようなマニュアルモードにおけるステップＳ２３〜Ｓ２５における制御は、上記第１の制御方法におけるステップＳ３〜Ｓ５の場合と略同様であるため、詳細な説明を省略する。
【００７６】
一方、前記ステップＳ２２において、切換スイッチ９４がオートモードに設定されている場合には、次にステップＳ２６が実行される。
【００７７】
ステップＳ２６では、ＥＣＵ５０により自動二輪車１２のスロットル開度の変化量（以下、ＴＨ開度変化量ともいう）が所定の変化量未満であるか、所定の変化量以上であるかが判断される。
【００７８】
具体的には、ステップＳ２６において、自動二輪車１２のＴＨ開度変化量が所定の変化量未満、例えば、１％／ｓ未満である場合には、続けてステップＳ２７が実行される。ＴＨ開度変化量が、例えば、１％／ｓ未満のように極めて小さい場合には、自動二輪車１２が停止又は一定走行中であることが考えられる。
【００７９】
そこで、ステップＳ２７により、自動二輪車１２の車速が所定の速度未満であるか、所定の速度以上であるかを判断する。すなわち、ステップＳ２７において、自動二輪車１２の車速が、例えば、５ｋｍ／ｈ未満である場合には、車両が停止中であるものと判断し、続けてステップＳ２８が実行される。従って、燃費表示計１１での瞬時燃費の表示を行わないものとして、ステップＳ２１へと戻る。
【００８０】
なお、上記ステップＳ２７での処理（車速判断）は、ステップＳ２２とステップＳ２６の途中で実行してもよい。
【００８１】
一方、ステップＳ２７において、自動二輪車１２の車速が５ｋｍ／ｈ以上である場合には、車両が一定走行中であるものと判断し、続けてステップＳ２９が実行される。従って、燃費表示計１１での瞬時燃費の更新を、例えば、２０秒毎に行うものとして、次にステップＳ３７が実行される。そして、ステップＳ３７では、前記ステップＳ２９で設定された更新タイミングに基づいて、燃費表示計１１の瞬時燃費の表示を更新する。なお、このように一定走行中であると判断される場合には、通常、瞬時燃費の変動幅は極めて小さいため、表示の更新を行うことなく、つまり、ステップＳ３７を実行せずにステップＳ１へと戻るように制御することもできる。
【００８２】
なお、上記ステップＳ２７〜Ｓ２９は必ずしも設ける必要はなく、その場合には、例えば、ステップＳ２６での自動二輪車１２のＴＨ開度変化量が１％／ｓ未満の場合、そのままステップＳ２１へと戻るようにしてもよく、ステップＳ２６自体を省略するようにしてもよい。
【００８３】
一方、ステップＳ２６において、自動二輪車１２のＴＨ開度変化量が所定の変化量以上、例えば、１％／ｓ以上である場合には、続けてステップＳ３０が実行される。
【００８４】
ステップＳ３０では、前記ステップＳ２６と略同様に、ＥＣＵ５０により自動二輪車１２のＴＨ開度変化量が所定の変化量未満であるか、所定の変化量以上であるかが判断される。
【００８５】
先ず、ステップＳ３０において、自動二輪車１２のＴＨ開度変化量が所定の変化量未満、例えば、２％／ｓ未満である場合には、続けてステップＳ３１が実行され、燃費表示計１１での瞬時燃費の更新を、例えば、１０秒毎に行うものとして、次にステップＳ３７が実行される。一方、ステップＳ３０において、自動二輪車１２のＴＨ開度変化量が所定の変化量以上、例えば、２％／ｓ以上である場合には、続けてステップＳ３２が実行され、以下同様にして各ステップが実行される。
【００８６】
すなわち、ステップＳ３２において、自動二輪車１２のＴＨ開度変化量が所定の変化量未満、例えば、５％／ｓ未満である場合には、続けてステップＳ３３が実行され、燃費表示計１１での瞬時燃費の更新を、例えば、５秒毎に行うものとして、次にステップＳ３７が実行される。一方、ステップＳ３２において、自動二輪車１２のＴＨ開度変化量が所定の変化量以上、例えば、５％／ｓ以上である場合には、続けてステップＳ３４が実行される。
【００８７】
ステップＳ３４において、自動二輪車１２のＴＨ開度変化量が所定の変化量未満、例えば、１０％／ｓ未満である場合には、続けてステップＳ３５が実行され、燃費表示計１１での瞬時燃費の更新を、例えば、３秒毎に行うものとして、次にステップＳ３７が実行される。一方、ステップＳ３４において、自動二輪車１２のＴＨ開度変化量が所定の変化量以上、例えば、１０％／ｓ以上である場合には、続けてステップＳ３６が実行される。このステップＳ３６では、燃費表示計１１での瞬時燃費ＩＮＳＴの更新を、例えば、１秒毎に行うものとして、次にステップＳ３７が実行される。
【００８８】
以上のように、本実施形態の燃費表示システム１０における燃費表示計１１での瞬時燃費の表示に係る第２の制御方法では、各ステップにより設定された燃費表示計１１の更新タイミングに基づき、ステップＳ３７において燃費表示計１１での瞬時燃費の表示が更新される。なお、ステップＳ２１における瞬時燃費の算出は、ステップＳ２４、Ｓ２５、Ｓ２９、Ｓ３１、Ｓ３３、Ｓ３５、Ｓ３６において更新タイミングが設定された直後に行うようにしてもよい。
【００８９】
この場合、前記オートモードでは、ステップＳ２６〜ステップＳ３６において、自動二輪車１２のＴＨ開度変化量に応じて燃費表示計１１での瞬時燃費の表示の更新タイミングを変化（可変）させており、具体的には、ＴＨ開度変化量が大きくなるほど前記更新タイミングを短く設定している。
【００９０】
スロットル開度操作（特に変化量）は、車両の燃費に及ぼす影響が大きい要因であるため、ＴＨ開度変化量に応じて瞬時燃費の更新タイミングを変化させることは、運転者に対して経済運転を促す観点から好ましいものである。そして、ＴＨ開度変化量が大きい状態では、燃費が低下するため、このような状態では一層細かなタイミング（短いタイミング）で瞬時燃費の表示を更新することは、運転者に対して一層の経済運転を促す効果が期待できる。
【００９１】
さらに、この場合、瞬時燃費の更新タイミングは、ＴＨ開度変化量が、１％／ｓから２％／ｓへと２倍になると２０秒から１０秒へと０．５倍となり、２％／ｓから５％／ｓへと２．５倍になると１０秒から５秒へと０．５倍となり、５％／ｓから１０％／ｓへと２倍になると５秒から３秒へと０．６倍となるように設定されており、すなわち、ＴＨ開度変化量が約２倍になると更新タイミングはそれに応じて約０．５倍となるように設定されている。これにより、対称的で広範囲の更新タイミングの変更が可能となり、運転者にとって把握し易く且つ扱い易いものとなっている。
【００９２】
さらにまた、このような第２の制御方法において、前記マニュアルモードに対応するステップＳ２４での燃費表示計１１での瞬時燃費の更新を、例えば、０．５秒毎に行うものとし、ステップＳ２５での更新を、例えば、２５秒毎に行うものとしてもよい。この場合、瞬時燃費の更新タイミングは、マニュアルモードでは０．５秒毎又は２５秒毎として設定され、オートモードでは１〜２０秒毎として設定される。そうすると、最も短い（速い）更新タイミングと、最も長い（遅い）更新タイミングとがマニュアルモードとなり、その間の更新タイミングがオートモードとなるため、運転者に対して現在の表示モード（更新モード）がマニュアルモードであることを容易に認識させることができる。
【００９３】
なお、上記実施形態に係る燃費表示システム１０では、主にエンジン制御に用いられるＥＣＵ５０により、瞬時燃費の表示に係る第１及び第２の制御方法を行うものとして説明した。換言すれば、ＥＣＵ５０内に、燃費表示手段を搭載しているものとして説明したが、図７に示すように、ＥＣＵ５０と別体に燃費表示用ＥＣＵ１０２を備える燃費表示システム１０ａに変更することもできる。燃費表示用ＥＣＵ１０２は、例えば、メータユニット６２に近接して配置したり、ＥＣＵ５０に近接して配置したりすればよい。
【００９４】
この場合、ＥＣＵ５０に代わって燃費表示用ＥＣＵ１０２が、燃費表示システム１０ａにおける前記距離情報算出部と、前記燃料消費量算出部と、前記瞬時燃費算出部と、前記平均燃費算出部と、前記更新タイミング変更部と、前記燃費表示処理部としての各機能を有していることになる。
【００９５】
以上、燃費表示システム１０ａのように、燃費表示用ＥＣＵ１０２をＥＣＵ５０から分離して備えると、該燃費表示用ＥＣＵ１０２をオプションとして容易に後付けすることができる。このため、瞬時燃費の表示等を必要としない車種等では、ＥＣＵ５０の制御を複雑化させることがなく、結果として、汎用性を向上させることができる。また、このような構成とすることにより、瞬時燃費の表示が不要な車種においても、不要な燃費表示用ＥＣＵ機能をＥＣＵ５０に付加する必要がなくなるため、生産コストを低減させることができる。
【００９６】
上記実施形態において、オートモードでの車速やＴＨ開度変化量に応じた更新タイミングの設定は、５段階（表示せず又は１秒、３秒、５秒、１０秒、２０秒）に設定するものとしたが、例えば、４段階や６段階等に適宜変更可能であることは言うまでもない。また、各段階における更新タイミング（３秒や５秒等）についても適宜変更可能であることは言うまでもない。
【００９７】
さらに、メータユニット６２におけるオドメータ７６やトリップメータ８０等の表示も、燃費表示計１１等と共に液晶ディスプレイ８５に表示させるようにしてもよく、該メータユニット６２における切換スイッチ９４の構成も適宜変更可能である。
【００９８】
さらにまた、上記燃費表示システムでは、一定燃料Ｆが消費される毎に燃費表示計１１の表示更新をするようにしてもよい。その際、一定燃料Ｆの消費に要した時間ｔを所定のタイマ等により求め、Ｆ／ｔとして瞬時燃費を算出し、それを表示するようにしてもよい。
【００９９】
なお、本発明は上記実施形態に限らず、本発明の要旨を逸脱することなく、種々の構成を採り得ることは当然可能である。
【図面の簡単な説明】
【０１００】
【図１】本発明の一実施形態に係る車両の燃費表示システムが組み込まれる車両としての自動二輪車の概略側面図である。
【図２】図１に示す自動二輪車に搭載されるメータユニットの概略正面図である。
【図３】図２に示すフューエルメータ周辺の拡大図である。
【図４】図２に示す燃費表示システムにおける燃費表示計での瞬時燃費の表示に係る第１の制御方法を示すフローチャートである。
【図５】図１に示す自動二輪車での燃費の算出システムを示すブロック構成図である。
【図６】図２に示す燃費表示システムにおける燃費表示計での瞬時燃費の表示に係る第２の制御方法を示すフローチャートである。
【図７】図１に示す自動二輪車での燃費の算出システムの変形例を示すブロック構成図である。
【符号の説明】
【０１０１】
１０、１０ａ…車両の燃費表示システム      １１…燃費表示計
１２…自動二輪車                          １３…車体フレーム
２０…シート                              ２６…ヘッドパイプ
３１…車速センサ                          ３６…燃料タンク
３８…エンジン                            ５０…ＥＣＵ
６２…メータユニット                      ８２…燃料ゲージ
８４…フューエルメータ                    ９４…切換スイッチ
１００…目盛り                            １０１…スロットル開度検出手段
１０２…燃費表示用ＥＣＵ
【図１】
2008128715.tif 000003
【図２】
2008128715.tif 000004
【図３】
2008128715.tif 000005
【図４】
2008128715.tif 000006
【図５】
2008128715.tif 000007
【図６】
2008128715.tif 000008
【図７】
2008128715.tif 000009